(57)【要約】【課題】メモリ記録処理が正しくできなかった場合でも、ユーザに不快音や音切れを感じさせないようなレジューム再生機能を有するオーディオ再生装置を提供する。【解決手段】ディスク型記録媒体に記録された音声データを所定時間分記録するメモリ１１３と、音声データのメモリへの記録を制御すると共にメモリに記録された音声データの破壊箇所を特定するメモリ記録制御／内容確認部１０６と、メモリに記録された音声データの再生を制御するメモリ再生制御部１０５と、該メモリ再生をディスク型記録媒体の再生に切り替えるディスク型記録媒体／メモリ切替制御部１０３と、特定されたメモリ内の音声データの破壊箇所から正常に保存されている音声データの管理情報を取得するメモリ管理情報取得部１０７と、管理情報に基づいて電源ＯＮ時にディスプレイ１１２に表示する起動アニメーションの表示を制御するディスプレイ制御部１０８とを備える。【選択図】図１
2014154176.tif 000002
【特許請求の範囲】
【請求項１】
ディスク型記録媒体に記録された音声データをデコードするデコード処理部と、前記デコードされた信号をアナログ信号に変換するＤＡコンバータ部と、前記ディスク型記録媒体の再生制御を行う再生制御部と、前記ディスク型記録媒体に記録された音声データを所定時間分記録するメモリと、該音声データの前記メモリへの記録を制御すると共にメモリに記録された音声データの破壊箇所を特定するメモリ記録制御／内容確認部と、前記メモリに記録された音声データの再生を制御するメモリ再生制御部と、該メモリ再生をディスク型記録媒体の再生に切り替えるディスク型記録媒体／メモリ切替制御部と、前記特定されたメモリ内の音声データの破壊箇所から正常に保存されている音声データの管理情報を取得するメモリ管理情報取得部と、前記管理情報に基づいて電源ＯＮ時にディスプレイに表示する起動アニメーションの表示を制御するディスプレイ制御部とを備えるオーディオ再生装置。
【請求項２】
前記管理情報はメモリ内に正常に保存されている音声データの容量情報を含み、前記ディスプレイ制御部は前記容量情報に基づいて前記起動アニメーションの再生速度を算出し、前記再生速度で起動アニメーションを再生することを特徴とする請求項１に記載のオーディオ再生装置。
【発明の詳細な説明】
【技術分野】
【０００１】
本発明はディスク型記録媒体に記録された音声データを再生するオーディオ再生装置に関し、特にレジューム再生をおこなうことができるオーディオ再生装置に関するものである。
【背景技術】
【０００２】
車載オーディオ再生装置では通常、車両エンジンを停止（アクセサリ電源ＯＦＦ：以下、ＡＣＣ  ＯＦＦ）し、しばらくしてからエンジン始動（アクセサリ電源ＯＮ：以下、ＡＣＣ  ＯＮ）すると、ＡＣＣ  ＯＦＦ時の最終モードから起動する。このとき、最終モードがＣＤ（Ｃｏｍｐａｃｔ  Ｄｉｓｋ）モードであればＡＣＣ  ＯＦＦ時の再生場所から再生動作を開始するいわゆるレジューム再生を行う。しかしながらＣＤモードから起動する場合、ＣＤデッキのヘッド回転速度が一定速度になるまで待ち、最終再生位置にヘッド位置を合わせるなどの動作が伴うため、結果として音出しまでの時間がかかってしまうという問題がある。
【０００３】
下記の特許文献１では、ＡＣＣ  ＯＦＦ時に現在再生位置から数秒分の音データをメモリに保存し、ＡＣＣ  ＯＮ時にメモリに保存されたデータをデコードして再生を行い、その間にＣＤを駆動させ、途中からはＣＤから読み取ったデータをデコードした音に切り替えることで音出し時間を高速化している。
【先行技術文献】
【特許文献】
【０００４】
【特許文献１】特開２００５−２９３７８４号公報
【発明の概要】
【発明が解決しようとする課題】
【０００５】
しかしながら、上記従来技術において、ＡＣＣ  ＯＦＦ時にデータをメモリに保存する際に何らかの理由でデータが破壊されたり、正しくメモリに格納できないケースが生じる可能性がある。その場合、ＡＣＣ  ＯＮ時にメモリ上のデータ破壊エリアをデコードして再生してしまうと異常音が発生することとなる。
【０００６】
本発明は、上記従来の課題を解決するもので、異常データが存在する領域がある場合は起動時アニメーションの起動時間を調整させ、メモリ再生からＣＤ再生に切り替わるまでの時間を稼ぐことで異常データの再生を回避させ、異常音を鳴らさない、あるいは音切れを発生することのないオーディオ再生装置を提供することを目的とする。
【課題を解決するための手段】
【０００７】
上記目的を達成するために本発明のオーディオ再生装置は、ディスク型記録媒体に記録された音声データをデコードするデコード処理部と、デコードされた信号をアナログ信号に変換するＤＡコンバータ部と、ディスク型記録媒体の再生制御を行う再生制御部と、ディスク型記録媒体に記録された音声データを所定時間分記録するメモリと、該音声データのメモリへの記録を制御すると共にメモリに記録された音声データの破壊箇所を特定するメモリ記録制御／内容確認部と、メモリに記録された音声データの再生を制御するメモリ再生制御部と、該メモリ再生をディスク型記録媒体の再生に切り替えるディスク型記録媒体／メモリ切替制御部と、特定されたメモリ内の音声データの破壊箇所から正常に保存されている音声データの管理情報を取得するメモリ管理情報取得部と、管理情報に基づいて電源ＯＮ時にディスプレイに表示する起動アニメーションの表示を制御するディスプレイ
制御部とを備える。
【０００８】
また、管理情報はメモリ内に正常に保存されている音声データの容量情報を含み、ディスプレイ制御部は容量情報に基づいて起動アニメーションの再生速度を算出し、再生速度で起動アニメーションを再生する。
【発明の効果】
【０００９】
本発明によれば、オーディオ再生装置においてメモリ記録処理が正しくできなかった場合であっても、起動アニメーションの表示を制御してメモリ再生時間を調整させることでユーザに対して不快音や音切れを感じさせないようにすることができる。
【図面の簡単な説明】
【００１０】
【図１】本発明の実施の形態におけるオーディオ再生装置のブロック図
【図２】信号処理部１００の起動アニメーションの表示処理の流れを示すフローチャート
【図３】メモリ１１３上に保存されている音声データについて、正常に保存されている場合と一部が破壊された場合の起動時の流れを示す模式図
【発明を実施するための形態】
【００１１】
以下、本発明の実施の形態について図面を参照しながら説明する。なお、以下で説明する本発明の実施の形態は、本発明の好ましい一具体例を示すものである。本実施の形態で示される数値、形状、構成要素、構成要素の配置及び接続形態などは、一例であり、本発明を限定する主旨ではない。本発明は、特許請求の範囲だけによって限定される。よって、以下の実施の形態における構成要素のうち、独立請求項に記載されていない構成要素は、本発明の課題を達成するのに必ずしも必要ではないが、より好ましい形態を構成するものとして説明される。
【００１２】
図１は本発明の実施の形態におけるオーディオ再生装置のブロック図である。本実施の形態においては、オーディオ再生装置は車載用であって、車のアクセサリ電源ＯＦＦの状態をＡＣＣ  ＯＦＦ、アクセサリ電源ＯＮの状態をＡＣＣ  ＯＮと呼ぶこととする。
【００１３】
図１において、オーディオ再生装置１０は、オーディオマイコン、ＣＰＵ、ディスプレイマイコンなどのハードウエアとそれらハードウエア上で実行されるソフトウェアからなる信号処理部１００と、それに接続されるＣＤデッキ１０９、音声を出力するためのスピーカ１１０、操作のためのキースイッチ１１１、起動アニメーション等の各種情報を表示するディスプレイ１１２、レジューム再生のためＣＤ（Ｃｏｍｐａｃｔ  Ｄｉｓｋ）から読み込んだ音声データの一部を記憶する不揮発性のメモリ１１３、および起動アニメーションのデータを格納するＲＯＭ等により構成される起動アニメ格納メモリ１１４により構成される。
【００１４】
オーディオマイコンでは、ＣＤデッキ１０９に挿入されたＣＤに記録された音声データが、デコード処理部１０１にてデコード処理され、ＤＡコンバータ部１０２にてデジタル信号をアナログ信号に変換した後、音声を聴取するためのスピーカ１１０にて音声として出力される。
【００１５】
ＣＤ再生制御部１０４は、ＣＤ情報（再生時間、タイトル名など）を管理してＣＤの再生を制御する。
【００１６】
ＣＤのレジューム再生処理においては、メモリ記録制御／内容確認部１０６がＣＤに記録されている音声データを所定時間分メモリ１１３へ記録する処理を行い、メモリ再生制
御部１０５がＡＣＣ  ＯＮ時のメモリ１１３の音声データの再生処理を行う。ＡＣＣ  ＯＮ後、ＣＤデッキ１０９が駆動した後に、ＣＤ／メモリ切替制御部１０３がメモリ再生からＣＤ再生に切り替える処理を行う。
【００１７】
なお、メモリ記録制御／内容確認部１０６については、後述するようにメモリ１１３に保存される音声データの破壊箇所を特定して、異常データの領域のアドレスを記録する内容確認の処理も行う。
【００１８】
次に、ディスプレイマイコンについて説明する。メモリ管理情報取得部１０７は、メモリ記録制御／内容確認部１０６が特定した異常データの領域のアドレスから、メモリ１１３上に正常に保存されている音声データの領域のアドレス、容量等の管理情報を取得する。ディスプレイ制御部１０８は、起動アニメ格納メモリ１１４から起動アニメーションのデータを読み出して、メモリ管理情報取得部１０７が取得した管理情報に基づいて表示制御した起動アニメーションをディスプレイ１１２に表示させる。
【００１９】
以上のように構成されたオーディオ再生装置１０の信号処理部１００について、以下に起動アニメーションを表示する処理動作を説明する。図２は、本発明の実施の形態における信号処理部１００の起動アニメーションの表示処理の流れを示すフローチャートである。
【００２０】
まずはじめに、メモリ記録制御／内容確認部１０６は、メモリ１１３に保存されている音声データについて正常か否かのチェックを行う（ステップＳ２０１）。ここで、データのチェックの方法としてはチェックサムやＣＲＣ等を用いることができる。
【００２１】
ステップＳ２０１のチェック処理にて異常データが検出されなかった場合（Ｎｏ）、すなわちメモリ１１３に保存されている音声データは全て正常である場合には、予め設定された保存容量分のレジューム再生が可能なため、ディスプレイ制御部１０８は起動アニメーションの再生速度を正常な場合の再生速度に設定する（ステップＳ２０２）。
【００２２】
一方、異常データが検出された場合（ステップＳ２０１でＹｅｓ）、メモリ記録制御／内容確認部１０６は、検出された異常データの領域のアドレスを記録する（ステップ２０５）。なお、異常データが複数個存在する場合も同様に最初に存在する異常データを対象として領域のアドレスの記録を行うものとする。
【００２３】
次に、メモリ管理情報取得部１０７は、メモリ記録制御／内容確認部１０６が特定した異常データの領域のアドレスから、正常に保存されている音声データの領域のアドレス、容量等の管理情報を取得する（ステップＳ２０６）。
【００２４】
そして、ディスプレイ制御部１０８はメモリ１１３に正常に保存されている音声データの容量から、次式を用いて起動アニメーションの再生速度を算出して設定する。
【００２５】
【数１】
2014154176.tif 000003
【００２６】
次に、ディスプレイ制御部１０８は起動アニメ格納メモリ１１４から起動アニメーションのデータを読み込んで（ステップＳ２０３）、読み込んだ起動アニメーションのデータを設定された再生速度で再生し（ステップＳ２０４）、処理を終了する。
【００２７】
図３は、メモリ１１３上に保存されている音声データについて、正常に保存されている場合と一部が破壊された場合の起動時の流れを模式的に表した図である。
【００２８】
（１）メモリに音声データが正常に保存ができたとき（図２のステップＳ２０１でＮｏ）
音声データが全て正しく保存されているため、（式１）においてＭＥＭ＿ＳＶ／ＭＥＭ＿ＡＬＬ＝１となり、再生速度は、
Ｆｉｎ＿ｆｐｓ＝２×Ｄｅｆ＿ｆｐｓ
になる。図２のステップＳ２０２において設定される、正常な場合の起動アニメーションの再生速度はこの値となる。ここで、例えばデフォルトの起動アニメ再生速度Ｄｅｆ＿ｆｐｓ＝６０ｆｐｓに設定すると、Ｆｉｎ＿ｆｐｓ＝１２０ｆｐｓになる。すなわち、音声データが全て正しく保存されていると起動アニメーションがデフォルト動作時に比べて早く再生されるイメージをユーザに与えることができる。
【００２９】
起動アニメーションの再生が終了すると、メモリ再生制御部１０５はメモリ１１３から読み出した音声データを再生する。その間、ＣＤ再生制御部１０４はメモリ１１３に記憶されている音声データに続くＣＤ上の音声データの再生位置に、ＣＤデッキ１０９の光ピックアップの位置の移動を開始させる。メモリ再生制御部１０５がメモリ１１３の音声データを再生中に光ピックアップが所定の再生位置にくると、ＣＤ／メモリ切替制御部１０３はＣＤ再生制御部１０４に指示して、メモリ１１３の音声データの再生を完了するまで、光ピックアップを再生位置に待機させ、ＣＤからの音声データの再生準備をする。メモリ再生制御部１０５が再生を完了すると、ＣＤ／メモリ切替制御部１０３はＣＤ再生制御部１０４にＣＤからの音声データの再生を開始させる。
【００３０】
（２）メモリの音声データの後半部分が破壊されているとき（図２のステップＳ２０１でＹｅｓ）
ＣＤ再生制御部１０４が、ＣＤデッキ１０９の光ピックアップの位置を所定の再生位置に移動させるのにかかる時間は、（１）の場合とほぼ同じである。そのため、データの破壊によりメモリ１１３から音声データが再生される時間が短くなった分、起動アニメーションの再生時間を長くする必要がある。ここで、再生速度は(式１)で計算される。
【００３１】
例えば、音声データのうち最初からちょうど真ん中のところでデータの破壊が起こっているとすると、破壊していない領域のメモリ容量（ＭＥＭ＿ＳＶ）は、メモリ容量（ＭＥＭ＿ＡＬＬ）の半分となるため、ＭＥＭ＿ＳＶ／ＭＥＭ＿ＡＬＬ＝０．５となる。起動アニメーションの再生速度は（式１）より、
Ｆｉｎ＿ｆｐｓ＝１．５×Ｄｅｆ＿ｆｐｓ
になる。ここで、デフォルトの起動アニメ再生速度Ｄｅｆ＿ｆｐｓ＝６０ｆｐｓとすると、Ｆｉｎ＿ｆｐｓ＝９０ｆｐｓになる。そして、ディスプレイ制御部１０８は起動アニメ格納メモリ１１４から起動アニメーションのデータを取得して（式１）で計算された再生速度で再生する。その間、ＣＤ再生制御部１０４はメモリ１１３に正常に記憶されている音声データに続くＣＤ上の音楽データの再生位置に、ＣＤデッキ１０９の光ピックアップの位置の移動を開始させる。起動アニメーションの再生が終了すると、メモリ再生制御部１０５はメモリ１１３から読み出した正常な部分の音声データを再生する。
【００３２】
メモリ再生制御部１０５がメモリ１１３の音声データを再生中に光ピックアップが所定
の再生位置にくると、ＣＤ／メモリ切替制御部１０３はＣＤ再生制御部１０４に指示して、メモリ１１３の正常な部分の音声データの再生を完了するまで、光ピックアップを再生位置に待機させ、ＣＤからの音声データの再生準備をする。メモリ再生制御部１０５が再生を完了すると、ＣＤ／メモリ切替制御部１０３はＣＤ再生制御部１０４にＣＤからの音声データの再生を開始させる。
【００３３】
（３）メモリの音声データの真ん中あたりが破壊されているとき（ステップＳ２０１でＹｅｓ）
この場合、音声データの最初の部分と最後の部分が正常にメモリ１１３に記憶されているが、異常データをとばして再生しても再生できる音が途中でなくなることから音飛びを生じさせることになり、メモリ１１３から有効に再生できるのは最初の部分だけになる。メモリ管理情報取得部１０７は、正常に保存されている最初の部分の音声データの領域のアドレス、容量等の管理情報を取得する。ディスプレイ制御部１０８は、メモリ管理情報取得部１０７が取得した正常に保存されている最初の部分の音声データの領域の容量から、（式１）により起動アニメーションの再生速度を算出する。以降の流れは（２）と同じになる。
【００３４】
（４）メモリの音声データの前半部分が破壊されているとき（ステップＳ２０１でＹｅｓ）
この場合、音声データの最初の部分から異常データとなるため、後半部分に正常に記憶されている領域があってもＡＣＣ  ＯＦＦ前の再生位置から再生できることにはならず、結果としてレジューム再生機能を損失することになってしまう。そのため、異常データしかないことになり、ＭＥＭ＿ＳＶ＝０となるので、ＭＥＭ＿ＳＶ／ＭＥＭ＿ＡＬＬ＝０になる。従って、起動アニメーションの再生速度は（式１）より、
Ｆｉｎ＿ｆｐｓ＝１×Ｄｅｆ＿ｆｐｓ
になる。ここで、デフォルトの起動アニメ再生速度Ｄｅｆ＿ｆｐｓ＝６０ｆｐｓに設定すると、Ｆｉｎ＿ｆｐｓ＝６０ｆｐｓになる。すなわち、音声データが前半部分から異常データであって、メモリ１１３から再生できる音声データがない最悪のケースでも、起動アニメーションはＣＤモード以外のモード時に再生される速度で再生されるイメージをユーザに与えることができる。
【００３５】
従って、本実施の形態のオーディオ再生装置において、ＡＣＣ  ＯＦＦ時にメモリ記録処理が正しくできなかった場合であっても起動アニメーションの動作を制御させ、メモリ再生時間を調整させることでユーザに対して不快音や音切れを感じさせないようにすることができる。
【００３６】
以上説明したように、本実施の形態のオーディオ再生装置によれば、メモリ記録処理が正しくできなかった場合であっても、起動アニメーションの表示を制御してメモリ再生時間を調整させることで、ユーザに対して不快音や音切れを感じさせないようにすることができる。
【００３７】
なお、上記実施の形態において、ディスプレイ制御部１０８は、メモリ１１３に正常に記録されている音声データの容量に基づいて、起動アニメーションのデータの再生速度を変更させたが、再生時間の異なる複数の起動アニメーションのデータを起動アニメ格納メモリ１１４に記憶させておき、ディスプレイ制御部１０８は、その中から適当な起動アニメーションのデータを選択して再生するようにしても良い。この場合、ディスプレイ制御部１０８は、メモリ１１３に正常に記録されている音声データの容量に基づいて起動アニメーションの再生時間を算出し、対応する再生時間の起動アニメーションのデータを起動アニメ格納メモリ１１４から選択する。
【００３８】
また、本実施の形態ではＣＤで説明したが、本発明はＣＤに限定されるものではない。ＣＤ以外にも機械的に記録媒体となるディスクを回転させるＭＤ（Ｍｉｎｉ  Ｄｉｓｋ）、ＤＶＤ（Ｄｉｇｉｔａｌ  Ｖｅｒｓａｔｉｌｅ  Ｄｉｓｋ）、ＢＤ（Ｂｌｕ−ｒａｙ  Ｄｉｓｋ）、ＨＤ（Ｈａｒｄ  Ｄｉｓｋ）のようなディスク型記録媒体においても、起動に時間がかかる。これら、ディスク型記録媒体においてもレジューム機能を搭載する場合には本発明を適用することができる。
【産業上の利用可能性】
【００３９】
本発明のオーディオ再生装置は、車両などの移動体に搭載して用いられ、ＣＤなど音楽媒体の再生装置等として有用である。
【符号の説明】
【００４０】
１０  オーディオ再生装置
１００  信号処理部
１０１  デコード処理部
１０２  ＤＡコンバータ部
１０３  ＣＤ／メモリ切替制御部
１０４  ＣＤ再生制御部
１０５  メモリ再生制御部
１０６  メモリ記録制御／内容確認部
１０７  メモリ管理情報取得部
１０８  ディスプレイ制御部
１０９  ＣＤデッキ
１１０  スピーカ
１１１  キースイッチ
１１２  ディスプレイ
１１３  メモリ
１１４  起動アニメ格納メモリ
【図１】
2014154176.tif 000004
【図２】
2014154176.tif 000005
【図３】
2014154176.tif 000006